(57)【要約】【課題】  取り付け設定が簡単で、地震や停電時に避難を迅速に行うことができ、かつ、周囲へ身の危険を知らせる通報機能を有する多機能な地震保安灯を提供することを目的とする。【解決手段】  明るさ検知機能、常夜灯機能、感震機能、停電検出機能、非常灯機能、携帯灯（懐中電灯）機能、サイレン鳴動機能を備える地震保安灯１に、家庭用電源コンセントから取り外している間、または家庭用電源コンセント５取り付けた後の所定時間、感震センサ２５が取り付け作業などによる揺れを検出して制御部２０へ感震信号を送出しても、制御部２０は、感震信号を無効として、投光用ライト１１を発光させない自動制御を行う。【選択図】図１
2007250474.tif 000002
【特許請求の範囲】
【請求項１】
少なくとも、家庭用電源に接続されて該家庭用電源を所定の電源に変換して電源供給を行う電源回路および該電源回路から供給を受けて充電されて電源供給を行う蓄電池からなる電源部と、揺れを感知する感震センサと、周囲に投光するための投光用発光源とを有し、前記感震センサの検出信号により前記投光用発光源に前記電源部より電源を供給して点灯させるようにした地震保安灯において、
家庭用電源に接続した当初の所定期間は前記感震センサの検出信号を無効として前記投光用発光源を点灯させないことを特徴とする地震保安灯。
【請求項２】
少なくとも、家庭用電源に接続されて該家庭用電源を所定の電源に変換して電源供給を行う電源回路および該電源回路から供給を受けて充電されて電源供給を行う蓄電池からなる電源部と、揺れを感知する感震センサと、周囲に投光するための投光用発光源とを有し、前記感震センサの検出信号により前記投光用発光源に前記電源部より電源を供給して点灯させるようにした地震保安灯において、
家庭用電源に接続した当初の所定期間は前記感震センサの検出信号を無効とし、前記所定期間終了直後の信号状態を揺れを感知していない状態として設定することを特徴とする地震保安灯。
【請求項３】
少なくとも、家庭用電源に接続されて該家庭用電源を所定の電源に変換して電源供給を行う電源回路および該電源回路から供給を受けて充電されて電源供給を行う蓄電池からなる電源部と、揺れを感知する感震センサと、周囲に投光するための投光用発光源とを有し、前記感震センサの検出信号により前記投光用発光源に前記電源部より電源を供給して点灯させるようにした地震保安灯において、
家庭用電源に接続していない期間は前記感震センサの検出信号を無効として前記投光用発光源を点灯させないことを特徴とする地震保安灯。
【請求項４】
少なくとも、家庭用電源に接続されて該家庭用電源を所定の電源に変換して電源供給を行う電源回路および該電源回路から供給を受けて充電されて電源供給を行う蓄電池からなる電源部と、揺れを感知する感震センサと、周囲に投光するための投光用発光源とを有し、前記感震センサの検出信号により前記投光用発光源に前記電源部より電源を供給して点灯させるようにした地震保安灯において、
前記電源部に接続スイッチを介して接続され、前記電源部からの電源供給を受けて駆動される警報用音響装置が設けられたことを特徴とする地震保安灯。
【発明の詳細な説明】
【技術分野】
【０００１】
本発明は、住宅などに設置される地震保安灯に関する。
【背景技術】
【０００２】
従来より、地震を感知して警報を行う感震センサや、停電時に照明（ランプまたはライト）を点灯する非常灯（常備灯）などはよく知られている。
また、これらの感震センサや非常灯などの機能を一体にした感震保安灯は、公知の技術である。（以下、これらを総称して「地震保安灯」という。）
【０００３】
地震保安灯（感震保安灯）は、家庭用電源プラグと充電池（蓄電池）などのバッテリー電源を備えており、地震または停電を感知（検知）すると所定時間豆電球などのランプ（ライト）が点灯する。
また、地震保安灯筐体面には、ライトの点灯を手動でＯＮ／ＯＦＦ操作するスイッチが設けられているため、停電から復旧したときには、スイッチ操作により、手動でライトを消灯できる構成となっている。
【０００４】
また、地震保安灯は、上述した機能のほかに明・暗検知回路などがさらに備られており、地震保安灯を設置した場所の周囲が暗くなるのを検知してライトを点灯する（保安灯機能）。また、携帯して懐中電灯としても使用できる。（例えば、特許文献１）。
【特許文献１】特開平７−７３７０１号公報
【０００５】
しかし、このような地震保安灯は、感震センサを内蔵しているため、家庭用電源（コンセント、ソケット）への差し込むときに、感震センサがこの差し込み操作によって発生する振動を感知し、ライトが点灯してまうことがある。
従って、この場合、ユーザーは、地震保安灯のライトを消灯させるため、手動でスイッチをＯＦＦする必要があり、面倒であった。
【０００６】
また、激しい地震の発生によっては、家具または家屋などが倒壊して、在宅者が怪我や生き埋めになる虞もあり、このような事態が起きた場合、被害にあった在宅者などは、従来の地震保安灯の感震機能と点灯機能だけでは、他人や外部に向けて救出を求める機能はないので、結局、避難や救出が難しいという問題があった。
【発明の開示】
【発明が解決しようとする課題】
【０００７】
従って、本発明は、上記のような地震保安灯において、操作性を更に向上させ、地震などの揺れを確実に検知し、かつ、人的な被害が発生した場合に早急な捜索または救出活動を可能とする地震保安灯を提供することを目的とする。
【課題を解決するための手段】
【０００８】
上記課題を解決するため、本発明の請求項１に記載の地震保安灯（感震保安灯）は、少なくとも、家庭用電源に接続されて該家庭用電源を所定の電源に変換して電源供給を行う電源回路および該電源回路から供給を受けて充電されて電源供給を行う蓄電池からなる電源部と、揺れを感知する感震センサと、周囲に投光するための投光用発光源とを有し、前記感震センサの検出信号により前記投光用発光源に前記電源部より電源を供給して点灯させるようにした地震保安灯において、家庭用電源に接続した当初の所定期間は前記感震センサの検出信号を無効として前記投光用発光源を点灯させないことを特徴とする。
【０００９】
この請求項１記載の発明によれば、地震保安灯を家庭用電源に差し込む操作などによって発生する揺れ（振動）を感震センサが感知してもライトを点灯させない構成となっているので、ユーザーは、地震保安灯を容易に家庭用電源（コンセント、ソケット）に設置できる。
【００１０】
また、本発明の請求項２に記載の地震保安灯は、少なくとも、家庭用電源に接続されて該家庭用電源を所定の電源に変換して電源供給を行う電源回路および該電源回路から供給を受けて充電されて電源供給を行う蓄電池からなる電源部と、揺れを感知する感震センサと、周囲に投光するための投光用発光源とを有し、前記感震センサの検出信号により前記投光用発光源に前記電源部より電源を供給して点灯させるようにした地震保安灯において、家庭用電源に接続した当初の所定期間は前記感震センサの検出信号を無効とし、前記所定期間終了直後の信号状態を揺れを感知していない状態として設定することを特徴とする。
【００１１】
この請求項２に記載の発明によれば、家庭用電源への取り付け状態によって発生する感震センサの検出特性によらず、検出信号を初期化して、所定期間終了後に確実に地震を検出し、投光用発光源を点灯することができる。
【００１２】
また、本発明の請求項３に記載の地震保安灯は、少なくとも、家庭用電源に接続されて該家庭用電源を所定の電源に変換して電源供給を行う電源回路および該電源回路から供給を受けて充電されて電源供給を行う蓄電池からなる電源部と、揺れを感知する感震センサと、周囲に投光するための投光用発光源とを有し、前記感震センサの検出信号により前記投光用発光源に前記電源部より電源を供給して点灯させるようにした地震保安灯において、家庭用電源に接続していない期間は前記感震センサの検出信号を無効として前記投光用発光源を点灯させないことを特徴とする。
【００１３】
この請求項３に記載の発明によれば、携帯時などに地震保安灯の感震センサが揺れを感知してもライトを点灯させない構成としたので、充電池（蓄電池）などのバッテリー電源の無駄な消費を低減することができる。
【００１４】
また、請求項４に記載の地震保安灯は、少なくとも、家庭用電源に接続されて該家庭用電源を所定の電源に変換して電源供給を行う電源回路および該電源回路から供給を受けて充電されて電源供給を行う蓄電池からなる電源部と、揺れを感知する感震センサと、周囲に投光するための投光用発光源とを有し、前記感震センサの検出信号により前記投光用発光源に前記電源部より電源を供給して点灯させるようにした地震保安灯において、前記電源部に接続スイッチを介して接続され、前記電源部からの電源供給を受けて駆動される警報用音響装置が設けられたことを特徴とする。
【００１５】
この請求項４に記載の発明によれば、地震などにより在宅者が怪我をしたり、生き埋めとなって、自力で避難が不可能な場合でも、警報音響装置（例えばサイレン）の鳴動で周囲（捜索隊員や救出隊員など）に自分の所在を知らせることができ、発見され、救出される可能性を格段に向上させることができる。
【発明の効果】
【００１６】
本発明によれば、多機能の地震保安灯を、更に操作性を向上させ、かつ、地震により在宅者などが受ける２次的な被害に対しても、捜索および救出作業などが迅速に対応可能となる。
【発明を実施するための最良の形態】
【００１７】
（地震保安灯の構成）
以下、図を参照して本発明の実施の形態について詳細に説明する。
図１は、本発明の地震保安灯１の一例を示す構成図であって、地震保安灯１を示す外観正面図である。
図２は、図１の地震保安灯１の概略回路構成図である。
図３は、地震保安灯１の使用状態を示す図である。
図１に示されるように本発明の地震保安灯１は、投光用ライト１１、光センサ１３、ライトＯＦＦスイッチ１６ａ、ライトＯＮスイッチ１６ｂ、サイレンスイッチ１７、サイレン音孔１４、ナイトライトモード灯１２、表カバー１８などから構成されている。地震保安灯１本体の背面側には、折り畳み可能な格納式電源プラグ９が設けられている。
【００１８】
また、感震保安灯１には、図２の回路を構成する感震センサ（２５）、ブザー（２４）、投光用発光源（投光用ライト）１１、光センサ（１２）、表示灯（１３）（ナイトライトモード灯）、蓄電池３２が内蔵されて回路基板（図示せず）に接続されている。
【００１９】
格納式電源プラグ９は、家庭用電源コンセント５（図３）に差し込んで家庭用電源（ＡＣ１００Ｖ）から電源供給を受けるための差込プラグである。また、格納式電源プラグ９は、携帯時の操作性および収納性を向上させるため、地震保安灯１の背面側の格納部（図示せず）へ折り畳んで格納可能な構造となっている。
【００２０】
図２の制御部２０は、感震センサ２５の検出信号、停電検出信号、光センサ１２の検出信号および操作スイッチＳＷ１（１６）の操作信号に応じて、主に投光用発光源（投光用ライト）１１および表示灯１３の制御を行うＣＰＵである。
【００２１】
図２の電源部３０は、電源回路３１または蓄電池３２からから構成され、投光用発光源（投光用ライト）１１などの負荷へ電源を供給する。
電源回路３１は、家庭用電源（ＡＣ１００Ｖ）から電源供給を受ける交流電源を整流して所定電圧の直流電源とする回路である。
蓄電池３２は、電源回路３１から電源供給を受けている間はこの供給電源により充電され、電源回路３１からの電源供給がないときは負荷への電源供給を行うものである。
【００２２】
停電検出ライン（停電検出部）３３は、停電あるいは地震保安灯１を家庭用電源コンセント（電源ソケット）５から取り外すことにより、電源回路３１から電源供給がないことを制御部２０へ通知するためのライン（停電検出部）であって、蓄電池３２からの電流を遮断するために、蓄電池３２の正極側との間にはダイオード４０が挿入されている。
【００２３】
感震センサ２５は、震度（例えば震度４）以上の揺れを感知すると制御部２０に検出信号を出力する感震スイッチである。
なお、感震スイッチは、従来より公知のものである。例えば、１次側接点、２次側接点および少なくとも一部が常時一次側接点と電気的に接続している短絡用金属片を有するもであり、短絡用金属片は、水平かつ正常な状態に設置されている場合は、１次側で電気的に接続して停止状態を維持して２次側接点と短絡せず（接点ＯＦＦ）、地震などによる揺れで稼働して１次側接点と２次側接点を短絡させる（接点ＯＮ）ものであり、いわゆる金属球や軸杆などである（図示せず）。
【００２４】
ブザー２４は、電源部３０に接続スイッチＳＷ２（１７）を介して接続されて駆動され、警報音（サイレン）を発して、例えばユーザーの所在を周囲に知らせる警報用音響装置（電子ブザー）である。
なお、接続ＳＷ２は、図１に示されるようにスライド式のサイレンスイッチ１７によりオン・オフ切替を行う。
【００２５】
投光用発光源（投光用ライト）１１は、制御部２０により点灯制御され、高輝度白色ＬＥＤ等からなり、周囲を照明するのに十分な光量を有する光源である。
なお、さらに光量を増すために投光用発光源（投光用ライト）１１の背後に反射鏡が設けられている。
【００２６】
光センサ１２は、周囲の明るさを検出し、制御部２０により周囲の明るさに応じて投光用発光源（投光用ライト）を常夜灯（ナイトライトまたは保安灯）として発光制御するための検出信号を出力する照度センサである。
【００２７】
表示灯（ナイトライトモード灯）１３は、常夜灯機能がオン状態であること（ナイトライトモード中）を表示する。
【００２８】
操作スイッチＳＷ１（１６）は、家庭用電源コンセント５から取り外して携帯灯（懐中電灯）として使用しているときには、投光用発光源（投光用ライト）１１のＯＮ／ＯＦＦスイッチとなる。
また、家庭用電源コンセント５に接続して地震保安灯として使用しているときには、常夜灯機能（ナイトライトモード）のオン・オフ切り替えスイッチとなる。
なお、図１に示されるようにＳＷ１（１６）は、ＯＮスイッチ１６ａとＯＦＦスイッチ１６ｂとして各々別に設けらている。
【００２９】
（地震保安灯の機能および操作の説明）
以下、地震保安灯１の機能・操作方法および制御部２０の自動制御について説明する。
なお、以下の説明において、特に説明が無い場合、地震保安灯１を家庭用電源コンセント５へ接続した状態時の蓄電池３２は満充電状態とする。
また、停電検出ライン（停電検出部）３３が停電を検出して出力する信号を停電検出信号といい、非停電検出状態を示す信号を非停電信号という。
また、光センサ１２が周囲が暗いことを検出して出力する信号を暗信号といい、感震センサ２５が揺れを検知して出力する信号を感震信号という。
【００３０】
（携帯時の感震信号無効化機能）
家庭用電源コンセント５へ接続していない時、地震保安灯１のナイトライトモード灯１３および投光用ライト１１は消灯している（手動による投光用ライト１１の点灯・消灯操作または手動によるサイレン鳴動操作のみ可能な状態となっている）。
【００３１】
このとき制御部２０は、感震センサ２５から携帯中などの理由によって揺れを感知し、感震信号を受信するが、停電検出信号を受信しているので、感震信号を受信しても無効として投光用ライト１１を点灯させない制御を行う（停電モード）。
従って、制御部２０は、家庭用電源コンセント５に接続していない期間（携帯時または停電時）は感震センサの検出信号（感震信号）を無効として投光用発光源（投光用ライト）１１を点灯させない制御を行う。
すなわち、地震保安灯１の投光用ライト１１は、携帯時または停電時などの家庭用電源に接続していないときは、揺れ（地震）によって点灯しない。
なお、このとき、図１のライトＯＮスイッチ１６ｂおよびライトＯＦＦスイッチ１６ａをオンオフ切替操作することにより、携帯灯（懐中電灯）として投光用ライト１１が点灯および消灯操作可能となる。
【００３２】
（取り付け時）
地震保安灯１の背面に格納された格納式電源プラグ９を指で引っ掛けて突出させ、家庭用電源コンセント５（ＡＣ１００Ｖ）へ差し込む。
このとき、ナイトライトモード灯１３は、モード設定ＯＮのとき、緑色点灯し、モード設定ＯＦＦのときは点灯しない（消灯状態のままである）。
また、地震保安灯１の投光用ライト１１は消灯する（消灯状態のままである）。
【００３３】
このとき、制御部２０は、停電検出ライン３３から非停電信号を受信して、停電モードから非停電モードになる。
また、図示しないタイマーにより計時を開始する。なお、タイマー計時時間は、停電検出ライン（停電検出部）３３が停電検出状態から非停電検出状態になってから当初の所定期間、例えば、家庭用電源コンセント５へ差し込んでから２０秒間である。
【００３４】
また、地震保安灯１の制御部２０は、家庭用電源コンセント５に取り付けた時に、感震センサ２５からの検出信号を受信していない場合（感震センサ内の１次側接点と２次側接点が短絡していない状態（接点ＯＦＦ→ＯＮ状態））、はこの受信状態を初期状態として設定する。
したがって、取り付け後地震の揺れを検出すると、１次側接点と２次側接点の短絡信号が感震信号となる。
しかし、少し傾けた状態で取り付られた場合（傾斜していることにより常時、感震センサ内の１次側接点と２次側接点が短絡しており、感震時に１次側接点と２次側接点の短絡が解除される状態（接点ＯＮ→ＯＦＦ状態））は、この受信状態を初期状態として設定する。
したがって、取り付け後地震の揺れを検出すると、感震スイッチの１次側接点と２次側接点の開放信号が感震信号となる。
よって、感震保安灯１の取付状態よらず、地震発生時は、投光用ライト１１を確実に点灯することができる
【００３５】
さらに制御部２０は、取り付け作業による揺れを検出した感震センサ２５からの感震信号を受信しているが、タイマ計時中であるので、感震信号を無効として投光用ライト１１を点灯させない制御を行う。
従って、制御部２０は、家庭用電源コンセント５に接続した当初の所定期間（停電モードから非停電モードへ移行してから例えば２０秒間）は感震センサの検出信号（感震信号）を無効として投光用発光源（投光用ライト）１１を点灯させない制御を行う。
すなわち、地震保安灯１の投光用ライト１１は、取り付け時の揺れによって点灯しない。
【００３６】
上述したナイトライトモード灯１３の目的は、昼間などの周囲が明るい環境下においても、モードの設定状態を確認することができるようにするものである。
従って、本発明の実施形態において、地震保安灯１が家庭用電源コンセント５に接続されている時（以下、家庭用電源接続時）に、ナイトライトモードが設定されていれば、ナイトライトモード灯１３が緑色点灯する。また、家庭用電源接続時に、ナイトライトモードが設定されていない場合は、ナイトライトモード灯１３は点灯しない。
【００３７】
また、地震保安灯１は、家庭用電源接続時において、図１のライトＯＮスイッチ１６ｂおよびライトＯＦＦスイッチ１６ａをオンオフ切替操作することにより、ナイトライトモード設定をオンオフ切替可能となっている。
また、家庭用電源接続時は、ライトＯＮスイッチ１６ｂの操作により、投光用ライト１１を点灯させない設定となっている。
【００３８】
なお、ナイトライトモードが設定されていて（ナイトライモード灯が緑色点灯）、投光用ライト１１が減光点灯している状態でライトＯＦＦスイッチ１６ａを押すと、投光用ライト１１は消灯し、ナイトライトモードがオフ設定される。
【００３９】
（夜間）
家庭用電源接続時であって、かつ、ナイトライトモードがＯＮ設定されていれば（ナイトライトモード灯１３が点灯していれば）、夜間などのように周囲が暗くなると、地震保安灯１は、常夜灯（保安灯）として投光用ライト１１を点灯（減光点灯）する。
【００４０】
このとき（家庭用電源接続後２０秒間後かつ地震感知前）、制御部２０は、停電検出ライン３３からの非停電信号を受信し、かつ、周囲が暗いことを検出した光センサ１２からの暗信号を受信していることを条件として、投光用ライト１１を減光点灯制御する。
【００４１】
（感震時）
家庭用電源接続時に、震度４の地震が発生すると、地震保安灯１は、感震センサ２５により揺れを検出して、投光用ライト１１は所定期間（例えば２０分間）、ナイトライトモードがＯＮ設定されていれば減光点灯時よりも更に明るく点灯し、ナイトライトモードがＯＦＦ設定されていれば明るく点灯する。
すなわち、地震保安灯１は、家庭用電源接続時は、周囲の明るさに関係なく、地震を感知すると投光用ライト１１を明るく点灯させる。
なお、図１のライトＯＦＦスイッチ１６ａを操作すると、所定期間であっても消灯する。
【００４２】
このように、地震発生時（かつ、家庭用電源接続時）の制御部２０は、揺れを検出した感震センサ２５から感震信号を受信していることを条件として、投光用ライト１１を明るく点灯制御する。
【００４３】
上述した、所定時間（例えば２０分間）は、例えば、夜間に地震が発生し、ユーザーが地震保安灯１の明かりを頼りにして避難の準備をするのに十分な時間として設定されている。
さらに、本発明の実施形態においては、例えば、満充電状態で６時間以上電力供給可能な蓄電池（３２）を使用しており、感震時の投光用ライト１１が例えば最長２０分間（明るく）点灯しても、地震発生後停電などが更に発生した場合にも、地震保安灯１を非常灯もしくは警報音響装置として十分機能させることが可能な構成となっている。
【００４４】
また、タイマーは、制御部２０が感震信号を受信すると、２０分間の計時を開始する。
タイマーが２０分間を計時すると、制御部２０は、ナイトライトモードの設定状態に応じて、投光用ライト１１を消灯制御または減光点灯制御する。
【００４５】
（停電発生時）
家庭用電源接続時に、停電が発生すると、地震保安灯１の投光用ライト１１は、ナイトライトモードがＯＮに設定されていれば減光点灯時よりも更に明るく点灯し、ナイトライトモードがＯＦＦ設定であれば明るく点灯する。
すなわち、地震保安灯１は、家庭用電源接続時は、周囲の明るさに関係なく、停電を検出すると投光用ライト１１を明るく点灯させる。
このとき、投光用ライト１１は、ライトＯＦＦスイッチ１６ａを操作するか蓄電池３２からの電源供給が途絶えるまで点灯状態を継続する。
【００４６】
停電発生時（かつ家庭用電源接続時）の制御部２０は、停電検出ライン３３から停電検出信号を受信して、投光用ライト１１を明るく点灯制御する。
一方、蓄電池３２は、停電となった時点で、放電を開始して、制御部２０などの負荷に対して電源供給を開始する。
【００４７】
（停電復旧時）
停電から復旧後（家庭用電源再接続後）、感震保安灯１の投光用ライト１１は消灯する。
なお、ナイトライトモード灯１３は、ナイトライトモードの設定状態に応じて、点灯または消灯する。
一方、家庭用用電源からの電力供給により、蓄電池３２への充電が開始される。
【００４８】
したがって、停電復旧時は、制御部２０は、投光用ライト１１を消灯制御し、ナイトライトモードの設定状態に応じて、ナイトライトモード灯１３を点灯制御する。
【００４９】
以上、地震保安灯１を家庭用電源コンセント５へ取り付けた時の地震保安灯１の各機能・動作、および制御部２０の制御について説明したが、本発明の地震保安灯１は、上述したいずれの状態においても、サイレンスイッチ１７を手動でスライド操作することによってサイレン鳴動を可能とする構成としている。
すなわち、地震保安灯１正面の中央上方のサイレンスイッチ１７を右側へスライドすると、回路スイッチＳＷ２（１７）がＯＮし、電子ブザー２４（サイレン）が鳴動を開始する。
また、サイレンスイッチ１７を左側へスライドすると、回路スイッチＳＷ２（１６）はＯＦＦし、電子ブザー２４（サイレン）は鳴動を停止する。
【００５０】
したがって、地震保安灯１を所有するユーザーは、地震の際、地震保安灯１の設置場所へ移動するかもしくは、地震保安灯１を取り外して携帯していれば、家具や家屋の倒壊によって怪我などをして身動きがとり難い状況に陥った場合でも、サイレンスイッチ１７をＯＮ操作することにより、周囲に自分の所在をサイレン音で知らせることができ、迅速な捜索又は救助活動を促すことができる。
【００５１】
以上、説明したように本発明の地震保安灯は、従来の地震保安灯の感震機能によって生じる家庭用電源（コンセント）への取り付け時の面倒な設定操作が低減し、かつ、家庭用電源に接続されていない間は、感震機能を無効としたので、操作性が格段に向上した。
【００５２】
また、日常の生活では、夜間に常夜灯（ナイトライト）機能を使用するか否かを任意にモード設定できる。
また、携帯時においても、コンパクトな形状のため、携帯灯（懐中電灯）としても使用可能である。
さらに、地震や停電発生時には、非常灯となって、避難などを速やかに行うことが可能となる。
【００５３】
また、地震保安灯のサイレン鳴動機能を手動操作としたため、ユーザー不在時に地震や停電が発生した場合は、サイレン鳴動しないので、誤警報や騒音となる問題がなく、
一方、在宅時に地震や停電が発生して、ユーザーが怪我や生き埋めとなった場合に自分の所在を周囲へ大きいサイレン音によって知らせたい場合に、ユーザーの意志により、地震保安灯を音響通報装置として使用できるので非常に有用である。
さらには、本発明の地震保安灯１のサイレン機能を、防犯時の緊急通報装置としても使用でき有用である。
【００５４】
なお、本発明は、本発明を逸脱しない範囲で適宜変更可能である。
例えば、ナイトライトモードの設定状態に係わらず、感震時または停電時に投光用ライト１１を点灯させる構成としたが、これに限定されず、周囲の明るさと感震または停電検出の状態に応じて投光用ライト１１を点灯制御する構成としてもよい。
【００５５】
また、例えば、サイレン機能はサイレンスイッチ１７を手動操作したときのみ出力可能（鳴動可能）としたが、これに限定されず、例えば、震度のレベルがある程度大きい時（例えば震度７）は、投光用ライト１１の点灯に加え、所定時間サイレン鳴動も行う構成としても良い。
【産業上の利用可能性】
【００５６】
本発明は、家屋のほか、あるゆる建造物に震災時の避難用器具として利用できる。また、防犯時の緊急通報装置としても使用できる。
【図面の簡単な説明】
【００５７】
【図１】本発明の実施の形態を示す地震保安灯の外観正面図。
【図２】図１の地震保安灯の概略回路構成図。
【図３】図１の地震保安灯の取り付け状態図。
【符号の説明】
【００５８】
１            地震保安灯
１０            地震保安灯の回路構成
１１            投光用発光源（投光用ライト）
１２            光センサ
１３            （ナイトライトモード灯用）表示灯
１４            サイレン音孔
１６ａ          ライトＯＦＦスイッチ
１６ｂ          ライトＯＮスイッチ
１７            サイレンスイッチ
１８            表カバー
２０            制御部
２４            ブザー
２５            感震センサ
３０            電源部
３１            電源回路
３２            蓄電池
３３            停電検出ライン（停電検出部）
４０            ダイオード
５            家庭用電源コンセント（ＡＣ１００Ｖ）
９            格納式電源プラグ
【図１】
2007250474.tif 000003
【図２】
2007250474.tif 000004
【図３】
2007250474.tif 000005